(57)【要約】【課題】透析患者毎に病態に合った透析液を供給することができるようにしつつ、複数の透析患者に対し同じ透析液をまとめて供給することもできる透析システムを提供できる。【解決手段】透析システム１は、原液生成装置１１、１２と、個人用透析システム１３と、多人数用透析システム１４と、を備えている。個人用透析システム１３は、複数の個人用透析装置４０と、原液供給ライン４１、４２と、第１の透析液用水供給ライン４３と、個人用透析液生成装置９０と、を備えている。多人数用透析システム１４は、多人数用の複数の透析装置１３０からなる透析装置群１２０と、多人数用透析液生成装置１２１と、原液供給ライン１２２、１２３と、第２の透析液用水供給ライン１２４と、透析液供給ライン１２５と、を備えている。【選択図】図１
2018082904.tif 000002
【特許請求の範囲】
【請求項１】
複数の原液を含む透析液のそれぞれの原液を生成する複数の原液生成装置と、
個人用透析システムと、
多人数用透析システムと、を備え、
前記個人用透析システムは、
複数の個人用透析装置と、
前記複数の原液生成装置の各原液生成装置から前記各個人用透析装置に原液を供給する第１の原液供給ラインと、
透析液用水を前記各個人用透析装置に供給する第１の透析液用水供給ラインと、
前記各個人用透析装置において、前記第１の原液供給ラインから供給された複数の原液と前記第１の透析液用水供給ラインから供給された透析液用水を混合して透析液を生成する個人用透析液生成装置と、を備え、
前記個人用透析液生成装置は、前記複数の原液及び透析液用水の混合比を変更して透析液の濃度を変更可能に構成されており、
前記多人数用透析システムは、
多人数用の複数の透析装置からなる透析装置群と、
多人数用の透析液を生成する多人数用透析液生成装置と、
前記各原液生成装置から前記多人数用透析液生成装置に原液を供給する第２の原液供給ラインと、
透析液用水を前記多人数用透析液生成装置に供給する第２の透析液用水供給ラインと、
前記多人数用透析液生成装置で生成された多人数用の透析液を前記透析装置群の各透析装置に供給する透析液供給ラインと、を備え、
前記多人数用透析液生成装置は、前記第２の原液供給ラインから供給された複数の原液と前記第２の透析液用水供給ラインから供給された透析液用水を混合して多人数用の透析液を生成するように構成されている、透析システム。
【請求項２】
前記第１の原液供給ラインを流れる原液の流量を調整する第１の流量調整装置と、
前記第２の原液供給ラインを流れる原液の流量を調整する第２の流量調整装置と、
前記第１の流量調整装置と前記第２の流量調整装置を制御して、前記第１の原液供給ラインの原液の流量と前記第２の原液供給ラインの原液の流量を調整する制御装置と、をさらに備える、請求項１に記載の透析システム。
【請求項３】
前記個人用透析液生成装置は、前記第１の原液供給ラインの原液と前記第１の透析液用水供給ラインの透析液用水が供給され混合される混合容器と、前記第１の原液供給ラインから前記混合容器に流入する原液の量と前記第１の透析液用水供給ラインから前記混合容器に流入する透析液用水の量を調整可能な調整部と、透析液の濃度を設定可能で、当該設定濃度に基づいて前記調整部を制御する制御部と、を有する、請求項１又は２に記載の透析システム。
【請求項４】
前記個人用透析液生成装置は、前記混合容器における透析液の濃度を検出するセンサを有し、
前記制御部は、前記センサにより検出された濃度に基づいて、前記混合容器における透析液の濃度が前記設定濃度になるように前記調整部を制御する、請求項３に記載の透析システム。
【請求項５】
前記各原液生成装置は、原末を透析液用水に溶解して原液を生成するものである、請求項１〜４のいずれかに記載の透析システム。
【請求項６】
前記第１の原液供給ラインは、気密空間で原液を供給可能に構成されている、請求項１〜５のいずれかに記載の透析システム。
【発明の詳細な説明】
【技術分野】
【０００１】
本発明は、透析システムに関する。
【背景技術】
【０００２】
終末期腎不全治療の主な手段である血液透析において、老廃物の除去に用いる透析液は治療の良否を決める重要な因子の一つである。
【先行技術文献】
【特許文献】
【０００３】
【特許文献１】特開２０１０−２７９４６１号公報
【発明の概要】
【０００４】
しかし一般的に使用できる透析液は組成の種類が少なく（数種類）、多数の透析患者の個々の病態に対応するには無理があった。また病院で一般的に使用されている透析システムは、多人数透析システムと呼ばれ、１種類の透析液を透析液供給装置で大量に作製し、末端の透析監視装置に同時に送液する方法が用いられてきた。このため個々に異なる透析患者の病態に合わせた透析液を患者毎に個別に使用することは困難であった。
【０００５】
そこで、本出願の発明者らは、透析液のそれぞれの原液を生成する各原液生成装置から各原液供給ラインを通じて各個人用透析装置に原液を供給し、当該各個人用透析装置において、複数の原液と透析液用水を混合して透析液を生成し、その際複数の原液及び透析液用水の混合比を変更して透析液の濃度を変更可能なシステム（個人用透析システム）を開発することにより、上記問題を解決することを考えている。
【０００６】
しかしながら、例えば病院内の透析システムを全て個人用透析システムにすると、透析患者毎に透析液の濃度を設定する必要が生じ、手間がかかり操作が煩雑になる。
【０００７】
本出願はかかる点に鑑みてなされたものであり、透析患者毎に病態に合った透析液を供給することができるようにしつつ、複数の透析患者に対し同じ透析液をまとめて供給することもできる透析システムを提供することをその目的の一つとする。
【課題を解決するための手段】
【０００８】
本発明者らは、鋭意検討した結果、個人用透析システムと、多人数用透析システムを併用可能にすることにより、上記問題を解決できることを見出し、本発明を完成するに至った。
【０００９】
すなわち、本発明は以下の態様を含む。
（１）複数の原液を含む透析液のそれぞれの原液を生成する複数の原液生成装置と、個人用透析システムと、多人数用透析システムと、を備え、前記個人用透析システムは、複数の個人用透析装置と、前記複数の原液生成装置の各原液生成装置から前記各個人用透析装置に原液を供給する第１の原液供給ラインと、透析液用水を前記各個人用透析装置に供給する第１の透析液用水供給ラインと、前記各個人用透析装置において、前記第１の原液供給ラインから供給された複数の原液と前記第１の透析液用水供給ラインから供給された透析液用水を混合して透析液を生成する個人用透析液生成装置と、を備え、前記個人用透析液生成装置は、前記複数の原液及び透析液用水の混合比を変更して透析液の濃度を変更可能に構成されており、前記多人数用透析システムは、多人数用の複数の透析装置からなる透析装置群と、多人数用の透析液を生成する多人数用透析液生成装置と、前記各原液生成装置から前記多人数用透析液生成装置に原液を供給する第２の原液供給ラインと、透析液用水を前記多人数用透析液生成装置に供給する第２の透析液用水供給ラインと、前記多人数用透析液生成装置で生成された多人数用の透析液を前記透析装置群の各透析装置に供給する透析液供給ラインと、を備え、前記多人数用透析液生成装置は、前記第２の原液供給ラインから供給された複数の原液と前記第２の透析液用水供給ラインから供給された透析液用水を混合して多人数用の透析液を生成するように構成されている、透析システム。
（２）前記第１の原液供給ラインを流れる原液の流量を調整する第１の流量調整装置と、前記第２の原液供給ラインを流れる原液の流量を調整する第２の流量調整装置と、前記第１の流量調整装置と前記第２の流量調整装置を制御して、前記第１の原液供給ラインの原液の流量と前記第２の原液供給ラインの原液の流量を調整する制御装置と、をさらに備える、（１）に記載の透析システム。
（３）前記個人用透析液生成装置は、前記第１の原液供給ラインの原液と前記第１の透析液用水供給ラインの透析液用水が供給され混合される混合容器と、前記第１の原液供給ラインから前記混合容器に流入する原液の量と前記第１の透析液用水供給ラインから前記混合容器に流入する透析液用水の量を調整可能な調整部と、透析液の濃度を設定可能で、当該設定濃度に基づいて前記調整部を制御する制御部と、を有する、（１）又は（２）に記載の透析システム。
（４）前記個人用透析液生成装置は、前記混合容器における透析液の濃度を検出するセンサを有し、前記制御部は、前記センサにより検出された濃度に基づいて、前記混合容器における透析液の濃度が前記設定濃度になるように前記調整部を制御する、（３）に記載の透析システム。
（５）前記各原液生成装置は、原末を透析液用水に溶解して原液を生成するものである、（１）〜（４）のいずれかに記載の透析システム。
（６）前記第１の原液供給ラインは、気密空間で原液を供給可能に構成されている、（１）〜（５）のいずれかに記載の透析システム。
【発明の効果】
【００１０】
本発明によれば、透析患者の病態に合った透析液を透析患者毎に個別に供給することができるとともに、複数の透析患者に対し同じ透析液をまとめて供給することもできる透析システムを提供できる。
【図面の簡単な説明】
【００１１】
【図１】透析システムの構成の概略を示す模式図である。
【図２】透析装置の血液回路の構成を示す説明図である。
【図３】個人用透析液生成装置の構成を示す説明図である。
【図４】Ａ原液用の原液生成装置の構成を示す説明図である。
【図５】Ｂ原液用の原液生成装置の構成を示す説明図である。
【図６】透析液の濃度変更パターンの一例を示す説明図である。
【発明を実施するための形態】
【００１２】
以下、図面を参照して、本発明の好ましい実施の形態について説明する。なお、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。また、以下の実施の形態は、本発明を説明するための例示であり、本発明はこの実施の形態に限定されるものではない。
【００１３】
図１は、本実施の形態にかかる透析システム１の構成の概略の一例を示す。
【００１４】
透析システム１は、例えば水処理装置１０と、複数、例えば２つの原液生成装置１１、１２と、個人用透析システム１３と、多人数用透析システム１４を備えている。
【００１５】
水処理装置１０は、例えば透析液用水を貯留する貯留タンク２０を備えている。また水処理装置１０は、透析液用水生成装置１５を備えている。透析液用水生成装置１５は、図示しないが、例えば原水源と、原水源の水を軟水化する軟水化装置と、軟水化した水から塩素等を除去する濾過装置と、濾過水からＲＯ水を生成し透析液用水として貯留タンク２０に貯留するＲＯ装置等を備えている。
【００１６】
原液生成装置１１は、例えばＡ原液を生成する装置であり、原液生成装置１２は、Ｂ原液を生成する装置である。なお、本実施の形態では、透析液がＡ原液とＢ原液で構成されているため、透析システム１が２つの原液生成装置１１、１２を備えているが、原液生成装置の数は、透析液の原液の数に応じて適宜選択される。
【００１７】
原液生成装置１１、１２には、例えば原末を透析液用水に溶解して原液を生成する原末溶解装置が使用される。原液生成装置１１、１２には、水処理装置１０の貯留タンク２０から各原液生成装置１１、１２に透析液用水を供給する透析液用水供給ライン３０、３１が接続されている。
【００１８】
個人用透析システム１３は、複数の個人用透析装置４０と、原液生成装置１１から各個人用透析装置４０にＡ原液を供給するＡ原液供給ライン４１と、原液生成装置１２から各個人用透析装置４０にＢ原液を供給するＢ原液供給ライン４２と、貯留タンク２０から各個人用透析装置４０に透析液用水を供給する第１の透析液用水供給ライン４３を有している。なお、Ａ原液供給ライン４１とＢ原液供給ライン４２は、第１の原液供給ラインを構成している。
【００１９】
Ａ原液供給ライン４１は、例えば原液生成装置１１に接続されたメインライン５０と、メインライン５０から分岐し各個人用透析装置４０に通じるサブライン５１を有している。各サブライン５１には、細菌を除去するフィルタ５２が設けられている。メインライン５０の下流は、排出部に通じている。なお、メインライン５０は、循環路になっていてもよく、その場合には、メインライン５０の下流が原液生成装置１１に接続されている。
【００２０】
Ｂ原液供給ライン４２は、例えば原液生成装置１２に接続されたメインライン６０と、メインライン６０から分岐し各個人用透析装置４０に通じるサブライン６１を有している。各サブライン６１には、細菌を除去するフィルタ６２が設けられている。メインライン６０の下流は、排出部に通じている。なお、メインライン６０は、循環路になっていてもよく、その場合には、メインライン６０の下流が原液生成装置１２に接続されている。
【００２１】
第１の透析液用水供給ライン４３は、例えば貯留タンク２０に接続されたメインライン７０と、メインライン７０から分岐し各個人用透析装置４０に通じるサブライン７１を有している。各サブライン７１には、細菌を除去するフィルタ７２が設けられている。メインライン７０は、例えば循環路になっており、メインライン７０の下流が貯留タンク２０に戻されている。
【００２２】
各個人用透析装置４０は、図２に示すように患者の血液を採取し体外で循環させて患者に戻す血液回路８０を有している。血液回路８０は、例えば透析膜としての中空糸膜Ａを有する透析器８１と血液ポンプ８２を有しており、患者の血液を透析器８１の中空糸膜Ａの一次側に供給し、中空糸膜Ａの一次側を通過した血液を患者に戻すことができる。透析器８１の中空糸膜Ａの二次側には、透析液を供給し排出する透析液回路８３が接続されている。透析器８１の中空糸膜Ａの一次側を通る血液と中空糸膜Ａの二次側を通る透析液との間の浸透圧差により中空糸膜Ａを通じて血液の老廃物が透析液側に排出されたり、透析液中の有用成分が血液に入り込む。
【００２３】
個人用透析装置４０は、図３に示すように透析器８１に供給する透析液を生成する個人用透析液生成装置９０を有している。個人用透析液生成装置９０は、例えば各原液供給ライン４１、４２の原液と第１の透析液用水供給ライン４３の透析液用水が供給され混合される混合容器１００と、透析液の濃度を設定可能な制御部１０１と、各原液供給ライン４１、４２から混合容器１００に流入する原液の量と第１の透析液用水供給ライン４３から混合容器１００に流入する透析液用水の量を調整可能な調整部１０２を有している。
【００２４】
混合容器１００の上部には、原液供給ライン４１、４２と、第１の透析液用水供給ライン４３が連通している。混合容器１００の下部には、混合された透析液を透析器８１に供給するための透析液流路１１０が連通している。この透析液流路１１０は透析液回路８３に連通している。
【００２５】
混合容器１００には、例えば透析液の濃度を検出するセンサ１１１が設けられている。センサ１１１による検出結果は、制御部１０１に出力できる。制御部１０１は、センサ１１１により検出された濃度に基づいて、混合容器１００の透析液の濃度が設定濃度になるように調整部１０２を制御できる。
【００２６】
調整部１０２は、例えば原液供給ライン４１、４２と第１の透析液用水供給ライン４３にそれぞれ設けられたポンプである。なお、調整部１０２は、供給量を調整できればポンプでなくてもよく、弁等であってもよい。
【００２７】
制御部１０１は、例えばコンピュータであり、記録部に記録されたプログラムを実行することにより、設定濃度に基づいて調整部１０２を制御し、原液供給ライン４１、４２と第１の透析液用水供給ライン４３から混合容器１００に流入する原液や透析液用水の量を調整できる。これにより、個人用透析液生成装置９０は、複数の原液及び透析液用水の混合比を変更して透析液の濃度を変更できる。
【００２８】
制御部１０１は、例えば表示部や入力部を備えていてもよく、表示部に表示された入力部に透析液の設定濃度を入力或いは選択できるようにしてもよい。
【００２９】
図１に示す多人数用透析システム１４は、多人数用の複数の透析装置群１２０と、多人数用透析液生成装置１２１と、原液生成装置１１から多人数用透析液生成装置１２１にＡ原液を供給するＡ原液供給ライン１２２と、原液生成装置１２から多人数用透析液生成装置１２１にＢ原液を供給するＢ原液供給ライン１２３と、貯留タンク２０から多人数用透析液生成装置１２１に透析液用水を供給する第２の透析液用水供給ライン１２４と、多人数用透析液生成装置１２１で生成された多人数用の透析液を各透析装置群１２０に供給する透析液供給ライン１２５を有している。なお、Ａ原液供給ライン１２２とＢ原液供給ライン１２３が、第２の原液供給ラインを構成している。
【００３０】
透析装置群１２０は、複数の多人数用透析装置１３０を備えている。多人数用透析装置１３０は、上述の個人用透析装置４０と同様に、血液回路８０、透析器８１、血液ポンプ８２及び透析液回路８３を有している。
【００３１】
多人数用透析液生成装置１２１は、例えば原液生成装置１１からＡ原液供給ライン１２２を通じて供給されたＡ原液と、原液生成装置１２からＢ原液供給ライン１２３を通じて供給されたＢ原液を混合して所定濃度の多人数用の透析液を生成できる。
【００３２】
透析液供給ライン１２５は、途中で分岐し、各透析装置群１２０の各多人数用透析装置１３０に接続されている。透析液供給ライン１２５には、液中の細菌及びエンドトキシン除去するフィルタ１４０が設けられている。
【００３３】
原液供給装置１１、１２、及び透析液生成装置１２１には、洗浄液を貯留する貯留タンク２１が連通している。
【００３４】
ここで、原液生成装置１１、１２とその周辺ラインの構成の一例について説明する。例えば図４に示すように原液生成装置１１は、生成されたＡ原液が貯留されるタンク１５０と、タンク１５０から途中で分岐してＡ原液供給ライン４１とＡ原液供給ライン１２２に通じる供給ライン１５１と、タンク１５０のＡ原液を圧送するポンプ１５２を備えている。Ａ原液供給ライン４１には、バルブ１６０が設けられ、原液生成装置１１から個人用透析システム１３の個人用透析装置４０に供給されるＡ原液の量を調整できる。またＡ原液供給ライン１２２には、バルブ１６１が設けられ、原液生成装置１１から多人数用透析システム１４の多人数用透析液生成装置１２１に供給されるＡ原液の量を調整できる。
【００３５】
同様に、図５に示すように原液生成装置１２は、生成されたＢ原液が貯留されるタンク１７０と、タンク１７０から途中で分岐してＢ原液供給ライン４２とＢ原液供給ライン１２３に通じる供給ライン１７１と、タンク１７０のＢ原液を圧送するポンプ１７２を備えている。Ｂ原液供給ライン４２には、バルブ１８０が設けられ、原液生成装置１２から個人用透析装置４０に供給されるＢ原液の量を調整できる。またＢ原液供給ライン１２３には、バルブ１８１が設けられ、原液生成装置１２から多人数用透析液生成装置１２１に供給されるＢ原液の量を調整できる。なお、バルブ１６０、１８０が第１の流量調整装置を構成し、バルブ１６１、１８１が第２の流量整装置を構成している。
【００３６】
例えばバルブ１６０、１６１、バルブ１８０、１８１、ポンプ１５２、１７２は、制御装置１９０により制御されている。制御装置１９０は、例えばコンピュータであり、記録部に記録されたプログラムを実行することにより、バルブ１６０、１６１、１８０、１８１の開閉や開閉度、ポンプ１５２、１７２の流量を制御して、個人用透析装置４０に供給されるＡ原液、Ｂ原液のＯＮ／ＯＦＦや流量、多人数用透析液生成装置１２１に供給されるＡ原液、Ｂ原液のＯＮ／ＯＦＦや流量を制御することができる。
【００３７】
次に、以上のように構成された透析システム１で行われる透析プロセスの一例について説明する。
【００３８】
先ず、図１及び図４に示すように原液生成装置１１では、水処理装置１０から供給された透析液用水と原末が混合され、Ａ原液が生成され、タンク１５０に貯留される。原液生成装置１２では、図１及び図５に示すように水処理装置１０から供給された透析液用水と原末が混合され、Ｂ原液が生成され、タンク１７０に貯留される。原液生成装置１１と原液生成装置１２にＡ原液とＢ原液が貯留されると、透析が可能な待機状態となる。
【００３９】
多人数用透析システム１４の透析装置群１２０を用いて透析を行う場合には、制御装置１９０により図１に示すバルブ１６１が開放され、原液生成装置１１のＡ原液が、ポンプ１５２によりＡ原液供給ライン１２２を通じて多人数用透析液生成装置１２１に供給される。またバルブ１８１が開放され、原液生成装置１２のＢ原液が、ポンプ１７２によりＢ原液供給ライン１２３を通じて多人数用透析液生成装置１２１に供給される。また水処理装置１０の貯留タンク２０の透析液用水が第２の透析液用水供給ライン１２４を通じて多人数用透析液生成装置１２１に供給される。多人数用透析液生成装置１２１では、供給されたＡ原液とＢ原液と透析液用水が所定の混合比で混合され、所定濃度の多人数用の透析液が生成される。
【００４０】
多人数用透析液生成装置１２１で生成された多人数用の透析液は、図１に示す透析液供給ライン１２５を通じて所定の透析装置群１２０の各多人数用透析装置１３０に供給される。各多人数用透析装置１３０では、多人数用の透析液を用いて患者に対して透析処理が施される。
【００４１】
ところで、夜間などの透析処理が行われない時間帯には、例えば貯留タンク２１から、原液生成装置１１、１２、Ａ原液供給ライン１２２、Ｂ原液供給ライン１２３、多人数用透析液生成装置１２１、透析液供給ライン１２５及び多人数用透析装置１３０に洗浄液が供給され、消毒される。その後、水処理装置１０からそれらに純水が供給され、洗浄された後、再び原液生成装置１１、１２においてＡ原液とＢ原液が生成され、原液生成装置１１、１２が待機状態となる。
【００４２】
個人用透析システム１３の個人用透析装置４０を用いて透析を行う場合には、制御装置１９０により原液生成装置１１、１２が待機状態であるか否かが確認される。このとき、制御装置１９０は、原液生成装置１１、１２にアクセスし、待機状態である場合には、原液生成装置１１、１２から待機状態であることを示す信号を受信する。
【００４３】
原液生成装置１１、１２が待機状態であることが確認された場合には、制御装置１９０によりバルブ１６０、１８０が開放され、各原液生成装置１１、１２で生成された原液が、ポンプ１５２、１７２により各原液供給ライン４１、４２を通って各個人用透析装置４０に供給される。また、貯留タンク２０の透析液用水が、第１の透析液用水供給ライン４３を通じて各個人用透析装置４０に供給される。
【００４４】
個人用透析装置４０では、個人用透析液生成装置９０により、透析患者の病態に応じて透析液の濃度が変更される。このとき、先ず医療従事者が制御部１０１に透析患者の病態に応じた透析液の濃度を設定する。このとき、医療従事者は、例えば図６に示すように３種類の濃度のＢ原液と３種類の濃度のＡ原液との全ての組み合わせからなる９種類の濃度の透析液から選択して設定する。例えばＡ原液が、Ｎａ、Ｋ、Ｃａ、Ｍｇ、Ｃｌ、酢酸及びブドウ糖の溶液、Ｂ原液が、重炭酸ナトリウム（ＮａＨＣＯ3）の溶液の場合において、２９ｍＥｑ/Ｌ、３１ｍＥｑ/Ｌ、３３ｍＥｑ/Ｌの２ｍＥｑ/Ｌずつ異なる３種類の重炭酸濃度と、１４０ｍＥｑ/Ｌ、１４２ｍＥｑ/Ｌ、１４４ｍＥｑ/Ｌの２ｍＥｑ/Ｌずつ異なる３種類のナトリウム濃度との組み合わせから選択できる。なお、例えば上記透析液の９種類の濃度と、Ａ原液とＢ原液の混合比との関係は予め設定されており、医療従事者がある種類の濃度の透析液を選択すると、それに応じたＡ原液とＢ原液の混合比で透析液が生成される。
【００４５】
そして、制御部１０１は、この選択された透析液の濃度に基づいて調整部１０２を制御し、原液供給ライン４１、４２と第１の透析液用水供給ライン４３から混合容器１００に所定量の原液と透析液用水を導入する。このとき、混合容器１００ではセンサ１１１が作動し、制御部１０１は、センサ１１１により検出された濃度に基づいて調整部１０２を制御して透析液の濃度が設定濃度になるように調整する。
【００４６】
混合容器１００で生成された設定濃度の透析液は、個人用透析装置４０における透析治療の際に、混合容器１００から透析液回路８３を通じて透析器８１に供給され、患者の血液と透析液との間で中空糸膜Ａを介して、血液から老廃物を除去したり血液に有用成分を加えたりする。
【００４７】
なお、上述の個人用透析システム１３を用いて行われる個人用透析装置４０の透析処理と、多人数用透析システム１４を用いて行われる多人数用透析装置１３０の透析処理は、いずれか一方が行われてもよいし、両方が同時に行われてもよい。
【００４８】
本実施の形態によれば、原液生成装置１１、１２で生成されたＡ原液及びＢ原液と、水処理装置１０の透析液用水を各個人用透析装置４０に供給し、各個人用透析装置４０の個人用透析液生成装置９０において所望の濃度の透析液を生成できるので、透析患者毎に病態に合った透析液を供給することができる。また、原液生成装置１１、１２で生成されたＡ原液及びＢ原液を、多人数用透析システム１４の多人数用透析液生成装置１２１に供給してまとめて多人数用の透析液を生成し、その多人数用の透析液を透析装置群１２０の多人数用透析装置１３０に供給できるので、複数の透析患者に対し同じ透析液をまとめて供給することができる。よって、透析患者毎に病態に合った透析液を供給することができるようにしつつ、複数の透析患者に対し同じ透析液をまとめて供給することもできる透析システム１を実現できる。
【００４９】
透析システム１は、個人用透析システム１３の原液供給ライン４１、４２を流れる原液の流量を調整するバルブ１６０、１８０と、多人数用透析システム１４の原液供給ライン１２２、１２３を流れる原液の流量を調整するバルブ１６１、１８１と、それらのバルブ１６０、１６１、１８０、１８１を制御して、個人用透析システム１３に供給される原液の流量と、多人数用透析システム１４に供給される原液の流量を調整する制御装置１９０と、を有している。これにより、個人用透析システム１３と多人数用透析システム１４を好適に併用できる。
【００５０】
個人用透析液生成装置９０は、各原液供給ライン４１、４２の原液と第１の透析液用水供給ライン４３の透析液用水が供給され混合される混合容器１００と、各原液供給ライン４１、４２から混合容器１００に流入する原液の量と第１の透析液用水供給ライン４３から混合容器１００に流入する透析液用水の量を調整可能な調整部１０２と、透析液の濃度を設定可能で、当該設定濃度に基づいて調整部１０２を制御する制御部１０１と、を有している。これにより、透析患者の病態に合った透析液の生成を好適に行うことができる。
【００５１】
個人用透析液生成装置９０は、混合容器１００における透析液の濃度を検出するセンサ１１１を有し、制御部１０１は、センサ１１１により検出された濃度に基づいて、混合容器１００における透析液の濃度が設定濃度になるように調整部１０２を制御する。これにより、透析液の濃度変更を正確な濃度で行うことができる。
【００５２】
原液生成装置１１、１２は、原末を透析液用水に溶解して原液を生成するものであるので、必要量持続的に原液を生成することができ、大量かつ安定した組成の原液を持続的に生成できる。
【００５３】
原液供給ライン４１、４２は、気密空間で原液を供給可能に構成されているので、原液生成装置１１、１２で生成された原液からガス成分が抜けることがなく、原液の例えばｐＨの変動や、CO2、重炭酸（HCO3）の成分量の変動を防止できる。この結果、個人用透析液生成装置９０に送られる原液の組成やｐＨが安定し、その原液に基づいて個人用透析液生成装置９０において厳格な濃度の複数種類の透析液を生成できる。特に、目的とする濃度に対し±２ｍＥｑ/Ｌの範囲で複数種類の透析液を好適に生成できる。
【００５４】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００５５】
例えば個人用透析液生成装置９０は、混合容器１００、制御部１０１、調整部１０２、センサ１１１等で構成されていたが、同じ機能を実現できる公知の他の構成を有するものであってもよい。原液の種類や数、原液と透析液用水で生成される透析液の種類（濃度）もこれに限られない。よって、原液生成装置の数は２つに限れられない。また、原液生成装置１１、１２は、原末を透析液用水に溶解して原液を生成するものであったが、これに限られるものではない。個人用透析システム１３の個人用透析装置４０の数、多人数用透析システム１４の多人数用透析装置１３０の数、透析装置群１２０の数も本実施の形態に限られない。各原液生成装置から個人用透析システム１３の個人用透析装置４０に原液を供給するラインの構成や、各原液生成装置から多人数用透析システム１４の多人数用透析液生成装置１２１に原液を供給するラインの構成は、本実施の形態に限られず、同じ機能を実現できる公知の他の構成を有するものであってもよい。
【産業上の利用可能性】
【００５６】
本発明は、透析患者毎に病態に合った透析液を供給することができるようにしつつ、複数の透析患者に対し同じ透析液をまとめて供給することもできる透析システムを提供する際に有用である。
【符号の説明】
【００５７】
１  透析システム
１０  水処理装置
１１  原液生成装置
１２  原液生成装置
１３  個人用透析システム
１４  多人数用透析システム
４０  個人用透析装置
４１  Ａ原液供給ライン
４２  Ｂ原液供給ライン
４３  第１の透析液用水供給ライン
９０  個人用透析液生成装置
１２０  透析装置群
１２１  多人数用透析液生成装置
１２２  Ａ原液供給ライン
１２３  Ｂ原液供給ライン
１２４  第２の透析液用水供給ライン
１２５  透析液供給ライン
１３０  多人数用透析装置
【図１】
2018082904.tif 000003
【図２】
2018082904.tif 000004
【図３】
2018082904.tif 000005
【図４】
2018082904.tif 000006
【図５】
2018082904.tif 000007
【図６】
2018082904.tif 000008